(57)【要約】【課題】一般に使用されているゴルフティーは硬く、打撃時に大きな抵抗となり、ヘッドスピードを損なっている。そこで、ボールを遠くへ飛ばすために、打撃時にクラブがゴルフティーから受ける抵抗を軽減し、ヘッドスピードを損なわない原料と形状のゴルフティーを提供することを課題とする。【解決手段】ゴルフティーの原料に、衝撃に弱く、崩壊し易い、軽量なバルサ材を全体もしくは一部に使用し成形する。また打撃時に軸脚２を折れ易くするために、軸脚の側面、もしくは軸脚の周囲に環状に切り欠けを成形する。さらに、ボール載置部３を直角方向へ編芯させ、載置部３ｂを設け、打撃時にクラブヘッドがボールより先に軸脚２に接触することを防ぐ形状に成形する。それにより、打撃時にヘッドスピードを損なわないことを特徴としたゴルフティーを提供する。【選択図】  図１
2004242978.tif 000002
【特許請求の範囲】
【請求項１】
衝撃に弱く、崩壊し易い、軽量なバルサ材で成形した、打撃時にヘッドスピードを損なわないことを特徴としたゴルフティー。
【請求項２】
ゴルフティーの載置部３を含む一部、または軸脚２先端部を含む一部の何れか一方のみを、衝撃に弱く、崩壊し易い、軽量なバルサ材で成形した、打撃時にヘッドスピードを損なわないことを特徴としたゴルフティー。
【請求項３】
ゴルフティーの一部に、衝撃に弱く、崩壊し易い、軽量なバルサ材を使用し成形した、打撃時にヘッドスピードを損なわないことを特徴としたゴルフティー。
【請求項４】
図３のように部分的な切り欠き５ａを軸脚の側面に設けるか、もしくは図４のように切り欠き５ｂを軸脚の周囲に環状に成形した、打撃時に軸脚が折れ易く、ヘッドスピードを損なわないことを特徴としたゴルフティー。
【請求項５】
ゴルフティーの載置部３を、図５のように直角方向へ編芯させ、載置部３ｂを設け、打撃時にクラブヘッドがボールより先に軸脚２に接触することを防ぎ、ヘッドスピードを損なわないことを特徴としたゴルフティー。
【発明の詳細な説明】
【０００１】
【発明の属する技術分野】
本発明は、打撃時にクラブヘッドへの抵抗が少なく、ヘッドスピードを損なわず、ボールを遠くへ飛ばすことに適した、ゴルフティーの原料とその原料を使用する部位、及び形状に関するものである。
【０００２】
【従来の技術】
一般的に使用されているゴルフティーは、木材、竹材、プラスチックなど硬く折れにくい原料で作られている。それが抵抗となり、打撃時にヘッドスピードを損なう欠点がある。形状は図１のティー本体１が一般的である。
【０００３】
登録実用新案第３０２８７０５号のように、軸脚にヒンジを設け、可倒式になっているゴルフティーがある。これは軸脚が太くなり、返って抵抗になるという欠点がある。また軸脚が太いので何本も持ち歩くには、かさばるという欠点がある。
【０００４】
実用新案公開平６−４４５６７のように、原料にゴムを使用したゴルフティーがあるが、ゴムは粘りがあり、打撃時に大きく抵抗になるという欠点がある。
【０００５】
特許公表２００２−５３６０８７のように、多数のプラスチックの剛毛により成形されたゴルフティーがある。しかし剛毛の根元近くでは、クラブが跳ね上げられる程の大きな抵抗になる、持ち運ぶ時に剛毛が変形し、ボールを載置しにくくなる、また、剛毛が打撃時に容易に切れて飛び散ってしまい、何度も繰り返し使用できないなどの欠点がある。
【０００６】
特許公開２０００−１１６８３２のように、軸脚に対し載置部を斜めに成形したゴルフティーがあるが、この場合地面に斜めに差し込むため、使用しにくいという欠点がある。
【０００７】
【発明が解決しようとする課題】
ボールを遠くへ飛ばす為には、ヘッドスピードを損なわないことが最も重要である。
【０００８】
しかしながら、一般に使用されているティーは、何度も繰り返し使うことを目的とし、木材、竹材、プラスチックなど硬く折れにくい原料で成形されている。
そのため打撃時に大きな抵抗となり、ヘッドスピードを損なってしまうという課題がある。特に、ヘッドスピードの遅い人には、その影響が顕著である。
【０００９】
またこの課題を解消するため、今までに発明されたゴルフティーの多くは、形状が複雑であったり、かさばったりすることなど、気軽に使用しにくいという課題がある。
【００１０】
【課題を解決するための手段】
そこで本発明は課題解決の手段として、クラブのヘッドスピードを損なわないために、衝撃に弱く、崩壊し易く、軽量な、打撃時の抵抗が非常に少ない原料を使用する。
【００１１】
従来一般的に使用されている図１のようなゴルフティーと同じように、手間無く気軽に使えるように、できるだけシンプルな形状にする。
【００１２】
打撃時に軸脚を折れ易い形状にする。
【００１３】
打撃時にクラブヘッドがボールより先に軸脚に接触しないような形状にする。
【００１４】
【発明の実施の形態】
請求項１の最も重要な実施形態の特徴は、原料に衝撃に弱く、崩壊し易い、軽量なバルサ材を使用していることである。
【００１５】
請求項２の実施形態の特徴は、ゴルフティーの載置部３を含む一部、または軸脚２先端部を含む一部のいずれか一方のみを、衝撃に弱く、崩壊し易い、軽量なバルサ材で成形したものである。
【００１６】
請求項３の実施形態の特徴は、ゴルフティーの一部分にのみ、衝撃に弱く、崩壊し易い、軽量なバルサ材を使用するものである。例えば、載置部３のみにバルサ材を使用した場合や、軸脚２の中央部分のみにバルサ材を使用した場合などである。
【００１７】
請求項１〜３は、もっぱら図１の形状であるが、どのような形状であっても、ゴルフティーにバルサ材を一部でも使用した場合、請求項１〜３に該当する。
【００１８】
請求項４の実施形態の特徴は、図３及び図４に示す通り、原料を問わず、軸脚２の中央部分に切り欠き５を設けている点である。
【００１９】
請求項５の実施形態の特徴は、図５に示す通り、原料を問わず、ゴルフティーの載置部３を、直角方向へ編芯させ、載置部３ｂを設けていることである。これにより打撃時にクラブヘッドがボールより先に軸脚２に接触しない形状になっている。
【００２０】
請求項５の載置部３ａは、ゴルフティーを地面に差し込む時、ボールを載せて押すために使用し、載置部３ｂは、打撃時にボールを載置する場所である。
【００２１】
【実施形態の効果】
請求項１は、衝撃に弱く、崩壊し易い、軽量なバルサ材を使用することにより、打撃時にヘッドスピードを損なわずボールを遠くへ飛ばす効果がある。
【００２２】
請求項１は、バルサ材を使用することで比較的安価に作れ、使用後も崩壊してしまうので、そのまま放置しても土に紛れ、使い捨てにできるので便利で使い易いという効果がある。
【００２３】
請求項１は、仮に図１のような一般的なゴルフティーと同じ形状にした場合、従来ゴルファーが使い慣れている形状であることから、手間無く気軽に使用し易いという効果がある。
【００２４】
請求項２は、ゴルフティーの載置部３を含む一部をバルサ材で成形した場合は、打撃時に載置部３が容易に折れる、又は崩壊する。軸脚２先端部を含む一部をバルサ材で成形した場合は、打撃時に載置部３が容易に軸脚２から離脱する。いずれも、打撃時にヘッドスピードを損なわずボールを遠くへ飛ばす効果がある。
【００２５】
請求項３は、例えば、載置部３のみにバルサ材を使用した場合、打撃時に載置部３が容易に折れる、又は崩壊する。軸脚２の中央部分のみにバルサ材を使用した場合は、打撃時に容易に軸脚２の中央部分が折れる、又は崩壊する。いずれも、打撃時にヘッドスピードを損なわずボールを遠くへ飛ばす効果がある。
【００２６】
請求項４は、図３及び図４のように、軸脚２に切り欠き５を入れることで、打撃時の衝撃によって軸脚２が容易に折れ、打撃時のヘッドスピードを損なわず、ボールを遠くへ飛ばす効果がある。原料は問わないが、バルサ材を使用すると更に効果的である。
【００２７】
請求項５は、ゴルフティーの載置部３を、直角方向へ編芯させ、載置部３ｂを設けることにより、打撃時にクラブヘッドがボールより先に軸脚２に接触することを防ぐ形状になっている。それにより打撃時のヘッドスピード損なわず、ボールを遠くへ飛ばす効果がある。原料は問わないが、バルサ材を使用すると更に効果的である。
【００２８】
請求項５は、載置部３ａがあることで、ゴルフティーを地面に差し込み易く、使い易いという効果がある。
【００２９】
【他の実施形態】
請求項１と請求項４を組み合わせることで、更に打撃時のヘッドスピード損なわず、ボールを遠くへ飛ばす効果がある。
【００３０】
請求項１と請求項５を組み合わせることで、更に打撃時のヘッドスピード損なわず、ボールを遠くへ飛ばす効果がある。
【００３１】
請求項２と請求項４を組み合わせることで、更に打撃時のヘッドスピード損なわず、ボールを遠くへ飛ばす効果がある。
【００３２】
請求項２と請求項５を組み合わせることで、更に打撃時のヘッドスピード損なわず、ボールを遠くへ飛ばす効果がある。
【００３３】
請求項３と請求項４を組み合わせることで、更に打撃時のヘッドスピード損なわず、ボールを遠くへ飛ばす効果がある。
【００３４】
請求項３と請求項５を組み合わせることで、更に打撃時のヘッドスピード損なわず、ボールを遠くへ飛ばす効果がある。
【００３５】
請求項４と請求項５を組み合わせることで、更に打撃時のヘッドスピード損なわず、ボールを遠くへ飛ばす効果がある。
【００３６】
請求項１と請求項４と請求項５を組み合わせることで、更に打撃時のヘッドスピード損なわず、ボールを遠くへ飛ばす効果がある。
【００３７】
請求項２と請求項４と請求項５を組み合わせることで、更に打撃時のヘッドスピード損なわず、ボールを遠くへ飛ばす効果がある。
【００３８】
請求項３と請求項４と請求項５を組み合わせることで、更に打撃時のヘッドスピード損なわず、ボールを遠くへ飛ばす効果がある。
【００３９】
また、ゴルフティーの表面に塗料を塗ることで、ゴルフティー本体の強度を調節することができる。地面に差し込む時の縦方向からの衝撃には強く、打撃時の横方向からの衝撃には弱くする効果がある。
【００４０】
【発明の効果】
本発明は、原料に衝撃に弱く、崩壊し易い、軽量なバルサ材を使用することで、打撃時のヘッドスピード損なわず、ボールを遠くへ飛ばす効果がある。
【００４１】
バルサ材を使用することで、比較的安価に作れ、使用後も崩壊してしまうので、そのまま放置しても土に紛れ、使い捨てにできるので便利で使い易いという効果がある。
【００４２】
また図１のように、一般的なゴルフティーと同じ形状にした場合は、従来と同じ使い方ができるため、手間無く気軽に使い易いという効果がある。
【００４３】
原料を問わず、軸脚２に切り欠き５を入れることで、打撃時の衝撃によってティーが容易に折れ、打撃時のヘッドスピードを損なわず、ボールを遠くへ飛ばす効果がある。
【００４４】
原料を問わず、ゴルフティーの載置部３を、直角方向へ編芯させ、載置部３ｂを設けることで、打撃時にクラブヘッドがボールより先に軸脚２に接触することを防ぐことができ、打撃時のヘッドスピード損なわず、ボールを遠くへ飛ばす効果がある。
【００４５】
また載置部３ａは、地面に差し込み易く、使い易くする効果がある。
【００４６】
請求項１〜５の併用により、更に打撃時にヘッドスピードが損なわれるのを防ぐことができ、よりボールを遠くへ飛ばす効果がある。
【００４７】
以上により、一般に使用されているゴルフティーは硬く、打撃時に大きな抵抗となり、ヘッドスピードを損なっているという課題を解決した。本発明はヘッドスピードを落とさず、ボールを遠くへ飛ばすために大変効果的なゴルフティーである。
【図面の簡単な説明】
【図１】本発明の請求項１と請求項２と請求項３及び一般的なゴルフティーを示す斜視図である。
【図２】図１の平面図である。
【図３】本発明の請求項４を示す斜視図である。
【図４】本発明の請求項４を示す斜視図である。
【図５】本発明の請求項５を示す斜視図である。
【図６】図５の平面図である。
【符号の説明】
１  ティー本体
２  軸脚
３  載置部
４  ボール
５  切り欠き
２
【図１】
2004242978.tif 000003
【図２】
2004242978.tif 000004
【図３】
2004242978.tif 000005
【図４】
2004242978.tif 000006
【図５】
2004242978.tif 000007
【図６】
2004242978.tif 000008